(57)【要約】【課題】無線通信システムにおいて複数ネットワークの隣接する環境下で特定のネットワークへの新規参加を阻害される問題の発生を低減できるようにする。【解決手段】同じ無線物理層上に階層的に構築された複数のアクセス制御プロトコルを持つ無線システムにおいて、時系列上での電波環境の変化によって、下位レイヤーでのアクセス制御のみが行えず、上位レイヤーでのアクセス制御は可能であると判断された場合に、上位レイヤーでのアクセス制御にのみ基づいた動作モードを選択して接続処理を行う。【選択図】図１
2009253633.tif 000002
【特許請求の範囲】
【請求項１】
アクセス制御手順と、前記アクセス制御手順によって確保された通信可能時間帯においてのみ用いられる他のアクセス制御手順とを併せ持つ階層化された時分割多重通信手段を介して近距離無線通信を行う複数の通信装置で形成されたネットワークへの接続を制御する通信装置であって、
前記階層化された各アクセス制御手順の制御信号をそれぞれ受信して解析する複数の解析手段と、
前記複数の解析手段による前記階層化されたアクセス制御手順の制御信号の受信可否をそれぞれ複数周期にわたって記憶する記憶手段と、
前記記憶手段の内容を比較し、前記アクセス制御手順の制御信号が受信不能となる頻度と、前記他のアクセス制御手順の制御信号が受信不能となる頻度との比較の結果により前記アクセス制御手順による前記ネットワークへの接続を試みることなく、前記他のアクセス制御手順のみに基づいて前記ネットワークへの接続を行うことを特徴とする通信装置。
【請求項２】
前記アクセス制御手順は定期的な制御信号であることを特徴とする請求項１に記載の通信装置。
【請求項３】
前記他のアクセス制御手順の制御信号の周期は前記アクセス制御手順の制御信号の周期よりも短いことを特徴とする請求項１または２に記載の通信装置。
【発明の詳細な説明】
【技術分野】
【０００１】
本発明は通信装置に関し、特に、複数の無線通信網が混在する環境下での新規無線端末の無線通信網への接続処理に用いて好適な技術に関する。
【背景技術】
【０００２】
近距離無線通信（ＷＰＡＮ：Ｗｉｒｅｌｅｓｓ  Ｐｅｒｓｏｎａｌ  Ａｒｅａ  Ｎｅｔｗｏｒｋ）の通信方式の一つとして、ＷＵＳＢ（Ｗｉｒｅｌｅｓｓ  Ｕｎｉｖｅｒｓａｌ  Ｓｅｒｉａｌ  Ｂｕｓ）規格が策定されている。このＷＵＳＢ規格は例えば、非特許文献１に開示されており、既に有線通信規格として数多くの製品に搭載され、広く普及しているＵＳＢ規格を無線通信に拡張したものである。なお、本規格書は２００５年１２月時点で公開されている。
【０００３】
ＷＵＳＢ規格は、無線変復調方式として、ＵＷＢ（Ｕｌｔｒａ  Ｗｉｄｅ  Ｂａｎｄ）通信方式の一つであるＷｉＭｅｄｉａ規格に準拠しつつ、一部簡略化している。また、上位のアプリケーション開発に関してこれまでの有線ＵＳＢの開発資産を流用できるよう有線のＵＳＢとの互換性を保つことにより、製品組み込みの容易さを考慮した規格となっている。
【０００４】
ＷＵＳＢ規格における通信は、基盤となるＷｉＭｅｄｉａ規格での時分割多重通信方式において、特定の端末間でのデータ通信に割り当てられた通信可能時間帯内に限定して行われる。制御局であるホスト端末がこのＷｉＭｅｄｉａ規格上での通信時間の折衝を行い、確保した時間帯をさらに細分化してＷＵＳＢ規格専用の時分割多重通信方式を別途規定して通信を行う。
【０００５】
このようにＷＵＳＢ規格では、階層化されたアクセス制御方式を採用しているが、ホスト以外のＷＵＳＢ端末は、アクセス制御の手順においては必ずしもＷｉＭｅｄｉａ規格に準拠する必要は無い。デバイスは、無線変復調方式としてはＷｉＭｅｄｉａ規格に従った装置構成をとりつつも、簡素化されたＷＵＳＢ規格のアクセス制御のみに準拠することで、装置構成の簡略化や消費電力の低減を図ることが可能となる。
【０００６】
ＷＵＳＢ端末は、基盤となるＷｉＭｅｄｉａ規格への対応の違いによって、以下の３種類に分類されている。
１つ目は、ＷｉＭｅｄｉａ規格に完全準拠したＳｅｌｆ  Ｂｅａｃｏｎｉｎｇ  Ｄｅｖｉｃｅ（ＳＢＤ）である。ＳＢＤは、ＷＵＳＢ端末としてだけでなく、ＷｉＭｅｄｉａ端末としても単独動作可能な機能を持つ。ＷＵＳＢネットワークのホストとなるにはＳＢＤである必要がある。
【０００７】
２つ目は、ＷｉＭｅｄｉａ端末としての動作制御に関しては他の端末からの指示に従うのみとなる、Ｄｉｒｅｃｔｅｄ  Ｂｅａｃｏｎｉｎｇ  Ｄｅｖｉｃｅ（ＤＢＤ）である。ホストからの指示によりＷｉＭｅｄｉａフォーマットでの信号の送信が可能であるが、ＤＢＤ自身ではその内容を理解することはできない。また、他のＷｉＭｅｄｉａ端末からの信号を受信する場合は、受信データをそのままＳＢＤへ転送するのみであり、内容の判断、その後の動作等に関して自律的な制御は行わない。
【０００８】
３つ目は、ＷＵＳＢ端末としてのみ動作するＮｏｎ  Ｂｅａｃｏｎｉｎｇ  Ｄｅｖｉｃｅ（ＮＢＤ）である。ＮＢＤは、ＷＵＳＢ規格のアクセス制御にしか従わないので、ＷｉＭｅｄｉａ規格上のアクセス制御に関しては一切関知しない。
【０００９】
以上の３つの動作モードのうち、どのモードが実装されるかは個々の製品ごとに判断されることとなるが、ＷＵＳＢのホストとして動作するためにはＳＢＤであることは必須となる。また、ＷＵＳＢにおいてデバイスとして動作する場合でも、ＳＢＤであれば、ホストからは直接通信不可能な位置にいる隣接端末とのＷｉＭｅｄｉａ端末としての折衝が可能であるなど、ネットワーク構築上は有利である。
【００１０】
【非特許文献１】Wireless Universal Serial Bus Specification Revision 1.0(May 12, 2005)
【発明の開示】
【発明が解決しようとする課題】
【００１１】
しかしながら、基盤となるＷｉＭｅｄｉａ規格上においては、時分割多重通信の基本単位であるスーパーフレームの長さは６５ｍｓ周期の固定周期である。このため、同じシステムが隣接して存在した場合、干渉するタイミングも同じ周期で繰り返される可能性が高いという問題があった。
【００１２】
図４（ａ）は、２つの無線グループが隣接している状況を示す図である。
図４（ａ）に示すように、第１の円１０１で示されるネットワークグループＧｒ．１と、第２の円１０２で示されるネットワークグループＧｒ．２とが存在する。そして、その中間地点で、ＳＢＤの機能を持つＤｅｖ１のＷＵＳＢ端末１０３がＧｒ．１のネットワークに参加を試みた場合を考える。
【００１３】
Ｇｒ．1を形成する第１の通信端末１０４及び第２の通信端末１０５は、それぞれ問題なく通信が可能な状態にある。また、Ｇｒ．２を形成する第３の通信端末１０６及び第４の通信端末１０７も、それぞれ問題なく通信が可能な状態にある。しかしながら、その中間地点に存在するＤｅｖ１のＷＵＳＢ端末１０３にとっては、両方のグループの通信信号を受信可能な位置にあるため、干渉によって、参加を試みようとするＧｒ．１の信号を補足できない可能性がある。
【００１４】
図４（ｂ）は、Ｇｒ．１及びＧｒ．２の通信信号の有無を時間軸で表現した図である。
図４（ｂ）において、Ｇｒ．１におけるＷｉＭｅｄｉａ規格上の制御信号であるビーコン１０８が６５ｍｓ周期で送信される。そして、その中でデータ通信帯域として宣言されたＤＲＰ（Ｄｉｓｔｒｉｂｕｔｅｄ  Ｒｅｓｅｒｖａｔｉｏｎ  Ｐｒｏｔｏｃｏｌ）１０９を確保している。確保されたＤＲＰ１０９内には、ＷＵＳＢの制御信号であるＭＭＣ（Ｍｉｃｒｏ−ｓｃｈｅｄｕｌｅｄ  Ｍａｎａｇｅｍｅｎｔ  Ｃｏｍｍａｎｄｓ）１１０が配置される。ＷＵＳＢ端末としては、このＭＭＣ１１０を介して時分割多重通信が行われる。
【００１５】
一方、Ｇｒ．２においても、少なくともＷｉＭｅｄｉａ規格に準拠した通信が行われているとすると、同じ６５ｍｓ周期でビーコン１１１が送信され、ＤＲＰ１１２が配置されることになる。ＤＲＰ１１２の配置に関しては、必ずしもスーパーフレーム中の同じ位置に毎回配置されるとは限らないが、特に理由が無ければ配置を変更する必要も無いため、ある程度周期的に繰り返される可能性は高い。
【００１６】
ここで、図４（ｂ）に示すように、Ｇｒ．２のビーコン１１１がＧｒ．１のビーコン１０８の近傍に位置し、また、その直後にＧｒ．２のＤＲＰ１１２が配置された場合を考える。この場合、Ｄｅｖ１のＷＵＳＢ端末１０３にとっては、Ｇｒ．１におけるある期間１１３は繰り返し干渉が生じることになり、ビーコン１０８が受信不可能な状態が継続することになる。そのため、Ｇｒ．１への参加が長期間に渡って阻止されるという問題が生じてしまう。
【００１７】
本発明は前述の問題点に鑑み、無線通信システムにおいて複数ネットワークの隣接する環境下で特定のネットワークへの新規参加を阻害される問題の発生を低減できるようにすることを目的としている。
【課題を解決するための手段】
【００１８】
本発明の通信装置は、アクセス制御手順と、前記アクセス制御手順によって確保された通信可能時間帯においてのみ用いられる他のアクセス制御手順とを併せ持つ階層化された時分割多重通信手段を介して近距離無線通信を行う複数の通信装置で形成されたネットワークへの接続を制御する通信装置であって、前記階層化された各アクセス制御手順の制御信号をそれぞれ受信して解析する複数の解析手段と、前記複数の解析手段による前記階層化されたアクセス制御手順の制御信号の受信可否をそれぞれ複数周期にわたって記憶する記憶手段と、前記記憶手段の内容を比較し、前記アクセス制御手順の制御信号が受信不能となる頻度と、前記他のアクセス制御手順の制御信号が受信不能となる頻度との比較の結果により前記アクセス制御手順による前記ネットワークへの接続を試みることなく、前記他のアクセス制御手順のみに基づいて前記ネットワークへの接続を行うことを特徴とする。
【発明の効果】
【００１９】
本発明によれば、無線通信システムにおいて複数ネットワークの隣接する環境下で特定のネットワークへの新規参加を阻害される問題の発生を低減することができる。
【発明を実施するための最良の形態】
【００２０】
（第１の実施形態）
以下、図面を参照しながら、本発明の好適な実施形態を例示的に詳しく説明する。ただし、本実施形態に記載されている構成要素はあくまで例示であり、この発明の範囲をそれらのみに限定する趣旨のものではない。本実施形態では、ＳＢＤ機能を持つＷＵＳＢのデバイス端末は、ＷｉＭｅｄｉａ変調された信号を受信し復調可能であった受信信号を解析する。そして、参加を試みるＷＵＳＢネットワークのホスト端末が送信するビーコン信号として受信可否の判定を行う。
【００２１】
また、可能であればＳＢＤとして接続するが、ビーコン信号の品質が劣悪、もしくは受信不能な場合は、ＭＭＣ信号が受信可能かどうかの判定を行う。ＭＭＣ信号が受信可能であれば、ＤＢＤ、もしくはＮＢＤとして接続する。ＭＭＣ信号も受信不能な場合は接続エラーとなる。このように、２つの制御信号の状態によって自身の接続モードを切り替えることにより、ネットワークの接続を損なう確率を低減することができる。
【００２２】
本実施形態では、無線変復調方式としてＷｉＭｅｄｉａ規格を基盤とした２つのネットワークが隣接する状況で、その中間地点で一方のネットワークに参加する端末の動作について説明を行う。２つのネットワーク内の各端末の位置関係は図４（ａ）と同様であるとする。つまり、ＳＢＤとしての機能を持つＷＵＳＢ端末１０３は、ＷＵＳＢネットワークグループであるＧｒ．１への接続を試みるところであり、Ｇｒ．１及びＧｒ．２の双方の信号を受信可能な位置関係にある。そのため、図４（ｂ）に示す様な時間関係で両信号の一部が干渉を生じているものとする。
【００２３】
図１は、本実施形態に係るＷＵＳＢ端末を構成する通信装置の内部構成例を示すブロック図である。なお、図１は、本実施形態に関与する無線部（通信装置）の機能ブロックのみを示す図であり、端末自体の持つその他の機能に関しては省略してある。
【００２４】
まず、ネットワーク接続を試みるにあたって、最初に所望のネットワークのホスト端末が発する制御信号を受信することにより処理を開始する。アンテナ２０１を介して受信された信号は、ＲＦ部２０２にてキャリアの検出やチャネルの識別処理などを行い、その後、変復調部２０３にて復調されてベースバンド信号へと変換される。なお、実際の機器においてはここまでの過程においても複雑な処理手順を踏むことになるが、本実施形態の動作とは直接関連しないため、ここでは説明を省略する。
【００２５】
復調されてビットストリームとなったベースバンド信号はＷｉＭｅｄｉａＭＡＣ処理部２０４とＷＵＳＢＭＡＣ処理部２０５とに引き渡される。ＷｉＭｅｄｉａＭＡＣ処理部２０４及びＷＵＳＢＭＡＣ処理部２０５は、受信したビットストリームを自身のアクセス制御手順の信号（ビーコンもしくはＭＭＣ）として識別処理を行い、結果を判定部２０６に報告する。
【００２６】
なお、実際の受信信号は、ビーコン信号が６５ｍｓ周期で定期的に複数周期受信されるのに対して、ＭＭＣは数十ｕｓ程度からｍｓ単位まで変動する可能性があり、かつ、非周期的に受信される。また、時間的に２つの制御信号が重なることは無い。
【００２７】
以上のことから、それぞれのＷｉＭｅｄｉａＭＡＣ処理部２０４及びＷＵＳＢＭＡＣ処理部２０５の動作タイミングは基本的には一致しないので、後述する処理により、それぞれの判定処理は順番に行うことが可能である。また、時間的には重ならないことから、実装上は共用化できる部分も存在するが、本実施形態では機能的に両者を区別するために、便宜上、異なるブロックとして図示している。
【００２８】
ＭａｉｎＣＰＵ２０７では、判定部２０６の判定結果を受けて、接続のための動作モードをＳＢＤとするか、ＤＢＤもしくはＮＢＤとするかによって、変復調部２０３及びＯＮ／ＯＦＦ制御部２０９を制御する。ＤＢＤとして動作する場合には、ホストからの指示があった場合のみＷｉＭｅｄｉａ信号の送受信を行うため、その都度、ＷｉＭｅｄｉａＭＡＣ処理部２０４を動作及び停止させることになる。
【００２９】
一方、変復調部２０３に対しては、ＯＮ／ＯＦＦ制御部２０９によって制御されたＷｉＭｅｄｉａ信号の有無に従って、搬送波周波数との変換処理を行う動作を制御する。以後、ＮＢＤ以外の動作モードで接続処理が行われた場合は、送信時、受信時とも、ＷｉＭｅｄｉａとしての動作が不要なときにはそれに関するＭＡＣ処理や変復調処理を停止させることにより、消費電力を低減することが可能となる。なお、ＮＢＤとして動作する場合にはＷｉＭｅｄｉａ信号に関する処理は停止させる。
【００３０】
図２は、図１の判定部２０６の結果から接続のための動作モードを選択する手順の一例を示すフローチャートである。
まず、ステップＳ３０１において、ネットワーク接続処理を開始すると、前述したように制御信号の受信動作を行う。次に、ステップＳ３０２において、接続情報のサーチを行う。なお、接続情報のサーチの動作手順に関しては後述する。
【００３１】
接続情報サーチ後、ステップＳ３０３において、判定部２０６の判定結果がビーコン検出ＯＫであるか否かを判定する。この判定の結果、ビーコン検出ＯＫであった場合は、ステップＳ３０４に進み、ＳＢＤモードで接続処理を行い、ネットワークへ参加する。
【００３２】
一方、ステップＳ３０３の判定の結果、ビーコン検出ＯＫでない場合は、ステップＳ３０４に進み、判定部２０６の判定結果がＭＭＣ検出ＯＫであるか否かを判定する。この判定の結果、ＭＭＣ検出ＯＫであった場合は、ＤＢＤもしくはＮＢＤとして接続処理を行い、ネットワークへ参加する。なお、前述の通り、ＤＢＤであるかＮＢＤであるかは本実施形態の動作とは無関係であるが、ＤＢＤとして接続した方がネットワーク全体としてはより高機能に運営されることになるので、可能であればＤＢＤで動作することが好ましい。
【００３３】
一方、ステップＳ３０５の判定の結果、判定部２０６の判定結果がＭＭＣ検出ＯＫでない場合は、ネットワークへの参加は不可能と判断し、ステップＳ３０７に進み、端末上に表示装置など備える場合には接続エラー表示を行う。また、ネットワークエラーに伴うその他各種の動作のトリガとすることになる。
【００３４】
図３は、図２のステップＳ３０２における接続情報サーチの動作の詳細な手順の一例を示すフローチャートである。
まず、ステップＳ４０１において、接続情報サーチ処理を開始すると、ステップＳ４０２において、６５ｍｓのタイマーをリセットする。次に、ステップＳ４０３において、タイマーをスタートさせ、ステップＳ４０４において、ビーコンのサーチ処理を行う。
【００３５】
なお、６５ｍｓはビーコン周期の長さに相当するものであり、この間ビーコンが取得できなかった場合には、ビーコンの検出が不可能であったと判断する。そして、ステップＳ４０５において、検出可否記録にその結果を記録する。また、６５ｍｓの期間中に所望のビーコン信号が受信できれば、ステップＳ４０５において、検出可として受信状態が記憶される。
【００３６】
次に、ステップＳ４０６において、別途記憶しているサーチ回数をカウントアップして比較する。そして、ステップＳ４０７において、サーチカウントが規定値を超えたか否かを判定する。この判定の結果、規定値を超えていない場合は、ステップＳ４０２のタイマーリセットに戻ってビーコンのサーチを行う。複数回のビーコンサーチを行うことにより、バーストノイズによる一時的なビーコン喪失を切り分けて処理することが可能となる。
【００３７】
一方、ステップＳ４０７の判定の結果、サーチ回数が規定値を超えた場合は、ステップＳ４０８に進み、ビーコンの検出回数が規定値を超えたか否かを判定する。この判定の結果、規定値を超えた場合は、ステップＳ４０９に進み、ビーコン検出ＯＫという判定結果を出力する。なお、本実施形態では単に検出回数としたが、例えば、連続して複数回喪失しなかった場合はＯＫとする等、別の判定方法を用いても構わない。
【００３８】
一方、ステップＳ４０８の検出回数が規定値を超えなかった場合は、ビーコンの検出は不可能と判断し、ステップＳ４１０に進み、ＭＭＣの検出動作を行う。なお、ＭＭＣに関しては、周期が必ずしも一定ではなく、取得したＭＭＣ毎に次のＭＭＣまでの時間情報が取得される構成であるため、１度検出できればそれでＯＫと判定しても構わない。また、ＭＭＣの出現頻度はビーコンに比較して頻繁であるため、観測時間はビーコン１周期に当たる６５ｍｓ程度で十分であり、それより短くても動作可能である。
【００３９】
次に、ステップＳ４１１において、ＭＭＣの検出判定を行う。この判定の結果、検出ＯＫである場合は、ステップＳ４１２に進み、ＭＭＣ検出ＯＫという判定結果を出力する。一方、ステップＳ４１１の判定の結果、ＭＭＣ検出が不可能である場合は、ステップＳ４１３に進み、接続情報未検出という判定結果を出力する。
【００４０】
以上の動作による検出結果を踏まえて、図２で示したとおりに動作モードを決定してネットワークへの接続処理を行う。
【００４１】
以上、説明を行ったように、本実施形態によれば、無線通信システムにおいて複数ネットワークの隣接する環境下で特定のネットワークへの新規参加を阻害される問題の発生を低減することのできる技術を提供することができる。
【００４２】
（本発明に係る他の実施形態）
前述した本発明の実施形態における通信装置を構成する各手段、並びに通信方法の各工程は、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００４３】
また、本発明は、例えば、システム、装置、方法、プログラムもしくは記録媒体等としての実施形態も可能であり、具体的には、複数の機器から構成されるシステムに適用してもよいし、また、一つの機器からなる装置に適用してもよい。
【００４４】
なお、本発明は、前述した実施形態の機能を実現するソフトウェアのプログラム（実施形態では図２、３に示すフローチャートに対応したプログラム）を、システムまたは装置に直接、または遠隔から供給する場合も含む。そして、そのシステムまたは装置のコンピュータが前記供給されたプログラムコードを読み出して実行することによっても達成される場合を含む。
【００４５】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００４６】
その場合、プログラムの機能を有していれば、オブジェクトコード、インタプリタにより実行されるプログラム、ＯＳに供給するスクリプトデータ等の形態であってもよい。
【００４７】
プログラムを供給するための記録媒体としては、例えば、フレキシブルディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【００４８】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記録媒体にダウンロードすることによっても供給できる。
【００４９】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００５０】
また、その他の方法として、本発明のプログラムを暗号化してＣＤ−ＲＯＭ等の記録媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００５１】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【００５２】
さらに、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００５３】
【図１】本発明の実施形態に係るＷＵＳＢ端末を構成する通信装置の内部構成例を示すブロック図である。
【図２】本発明の実施形態において、接続のための動作モードを選択する手順の一例を示すフローチャートである。
【図３】本発明の実施形態において、接続情報サーチの動作の詳細な手順の一例を示すフローチャートである。
【図４】２つの無線グループが隣接している状況を示す図である。
【符号の説明】
【００５４】
２０１  アンテナ
２０２  ＲＦ部
２０３  変復調部
２０４  ＷｉＭｅｄｉａＭＡＣ処理部
２０５  ＷＵＳＢＭＡＣ処理部
２０６  判定部
２０７  ＭａｉｎＣＰＵ
２０９  ＯＮ／ＯＦＦ制御部
【図１】
2009253633.tif 000003
【図２】
2009253633.tif 000004
【図３】
2009253633.tif 000005
【図４】
2009253633.tif 000006